(57)【要約】【課題】  胴縁の長さ方向の任意箇所で取付具を胴縁に装着可能にして外装パネルの配設施工における施工性を向上させると共に外装パネルの配設強度も向上させる外装パネルの胴縁への取付構造を提供する。【解決手段】  外装パネル４を固定する取付具１を胴縁３のリップ片３ａ間の隙間から胴縁３の内部に挿入していく際にリップ片３ａを弾性的に押し広げる係止突起５を取付具１の両幅端部に突設する。係止突起５よりも屋外側の取付具１の両幅端部に取付具１の幅方向外方に突出する引掛片６を設けると共に引掛片６の突出先端に屋内側に屈曲した先端爪部７を形成する。取付具１を胴縁３の内部に挿入した際に先端爪部７を胴縁３の幅端部に幅方向外方から引っ掛けて引掛片６を胴縁３のリップ片３ａに屋外側から添設すると共に係止突起５を胴縁３のリップ片３ａに屋内側から係止して取付具１を胴縁３に装着する。【選択図】        図１
2005307662.tif 000002
【特許請求の範囲】
【請求項１】
屋外側に開口する断面リップ付きコ字状に形成した胴縁を外壁下地の屋外側に配設し、この胴縁の屋外側に複数の外装パネルを胴縁の長さ方向に連続させて並設し、屋内側に開口する断面コ字状に形成した取付具を胴縁の内部に挿入して取付具の両幅端部を両リップ片に屋内側から係止させて取付具を胴縁の長さ方向にスライド自在に装着し、外装パネルを取付具に固定してなる外装パネルの胴縁への取付構造であって、取付具を胴縁のリップ片間の隙間から胴縁の内部に挿入していく際にリップ片を弾性的に押し広げる係止突起を取付具の両幅端部に突設し、係止突起よりも屋外側の取付具の両幅端部に取付具の幅方向外方に突出する引掛片を設けると共に引掛片の突出先端に屋内側に屈曲した先端爪部を形成し、取付具を胴縁の内部に挿入した際に先端爪部を胴縁の幅端部に幅方向外方から引っ掛けて引掛片を胴縁のリップ片に屋外側から添設すると共に係止突起を胴縁のリップ片に屋内側から係止して取付具を胴縁に装着したことを特徴とする外装パネルの胴縁への取付構造。
【発明の詳細な説明】
【技術分野】
【０００１】
本発明は、外装パネルの胴縁への取付構造に関するものである。
【背景技術】
【０００２】
従来から、外装パネルで建物外壁を形成するには、外壁下地の屋外側に胴縁を沿わせて配設し、胴縁の屋外側に複数の外装パネルを胴縁の長さ方向に連続させて並設し、外装パネルをビスなどの固着具にて胴縁に取付ることで行われている。ここで、胴縁としては一般に木の角材が多用されてきたが、この角材が構成する胴縁では固着具の打入時に割れが発生したりして外装パネルの配設に不具合が生じる恐れがあるために、近年ではたとえば図１０のように胴縁３として長尺の金属製の型枠材を用いることが行われている。なお、角材を胴縁３とした場合には胴縁３の長さ方向の任意位置で釘等の固着具の打設によって外装パネル４を取付けできたが、金属製の型枠材を胴縁３とした場合にはビス孔の有無などの理由で胴縁３の長さ方向の任意位置に外装パネル４を取付けることができないことがある。しかして、図１０の外装パネル４の胴縁３への取り付けにあっては、図１１のような取付具１´を胴縁３の長さ方向にスライド自在に装着し、この取付具１´に外装パネル４を固定させることで行われている（たとえば、特許文献１参照）。
【０００３】
この図１０の外装パネル４の胴縁３への取付構造にあっては、詳しくは、胴縁３は、外壁下地２に沿わせて固定される底片３ｃの左右端から屋外側に側片３ｂをそれぞれ突設すると共に各側片３ｂの突出先端からそれぞれリップ片３ａを各側片３ｂの対向方向に突設してリップ片３ａ間の隙間を屋外側に開口させてなる断面リップ付コ字状の長尺の型枠材で構成されている。また、取付具１´は、図１１のように縦板１ａの左右端から屋内側に側板１ｂそれぞれ突設すると共に各側板１ｂの突出先端からそれぞれリップ板１ｃを各側板１ｂの対向方向に突設してリップ板１ｃ間の隙間を屋内側に開口させてなる断面リップ付コ字状の金属製の枠体で主体が構成され、縦板１ａの屋外側に外装パネル４を引っ掛ける取付片９が突設されている。そして、この取付具１´は、リップ板１ｃを胴縁３の底片３ｃに当接させると共に縦板１ａを胴縁３のリップ片３ａに内側から係止させるようにして胴縁３の内部に嵌合させることで、胴縁３からの抜け止めが施されて胴縁３の長手方向の任意位置に装着可能にされるのであり、取付片９を胴縁３のリップ片３ａの隙間から屋外側に突出させ、この取付片９に外装パネル４を引っ掛けて固定させることで、胴縁３の長手方向の任意位置に外装パネル４を取付けできるようにしている。
【０００４】
しかしながら、この図１０の外装パネル４の胴縁３への取付構造にあっては、取付具１´を胴縁３に装着するには、胴縁３の長さ方向の端部から胴縁３の内部に取付具１´を挿入しなければならないものである。一般に、実部を上下端に設けた外装パネル４で建物外壁を形成するには、下側の外装パネル４を取付具１´を介して胴縁３に取付けて配設し、この下側の外装パネル４に上側の外装パネル４を載せ、この上側の外装パネル４に合わせて別の取付具１´を配置し、この取付具１´を介して上側の外装パネル４を胴縁３に取付けていくといった施工作業で行われるのであるが、上述のように取付具１´を胴縁３の長さ方向の端部から胴縁３内に挿入することでしか取付具１´を胴縁３に装着できないものでは、施工作業者は、一枚の外装パネル４の配設毎に、この外装パネル４の配置箇所から離れて胴縁３の長さ方向の端部がある高所に移動し、胴縁３の長さ方向の端部から胴縁３内に取付具１´を挿入しなければならなく、極めて煩雑な施工作業が強いられることとなっていた。
【特許文献１】実開平５−３５９４４号公報
【発明の開示】
【発明が解決しようとする課題】
【０００５】
本発明は上記の従来の問題点に鑑みて発明したものであって、胴縁の長さ方向の任意箇所で取付具を胴縁に装着可能にして外装パネルの配設施工における施工性を向上させると共に、外装パネルの配設強度も向上させる外装パネルの胴縁への取付構造を提供することを課題とするものである。
【課題を解決するための手段】
【０００６】
上記課題を解決するために本発明に係る外装パネルの胴縁への取付構造は、屋外側に開口する断面リップ付きコ字状に形成した胴縁３を外壁下地２の屋外側に配設し、この胴縁３の屋外側に複数の外装パネル４を胴縁３の長さ方向に連続させて並設し、屋内側に開口する断面コ字状に形成した取付具１を胴縁３の内部に挿入して取付具１の両幅端部を両リップ片３ａに屋内側から係止させて取付具１を胴縁３の長さ方向にスライド自在に装着し、外装パネル４を取付具１に固定してなる外装パネル４の胴縁３への取付構造であって、取付具１を胴縁３のリップ片３ａ間の隙間から胴縁３の内部に挿入していく際にリップ片３ａを弾性的に押し広げる係止突起５を取付具１の両幅端部に突設し、係止突起５よりも屋外側の取付具１の両幅端部に取付具１の幅方向外方に突出する引掛片６を設けると共に引掛片６の突出先端に屋内側に屈曲した先端爪部７を形成し、取付具１を胴縁３の内部に挿入した際に先端爪部７を胴縁３の幅端部に幅方向外方から引っ掛けて引掛片６を胴縁３のリップ片３ａに屋外側から添設すると共に係止突起５を胴縁３のリップ片３ａに屋内側から係止して取付具１を胴縁３に装着したことを特徴とする。
【０００７】
これによると、取付具１を胴縁３に装着する際には、取付具１の係止突起５で胴縁３のリップ片３ａを弾性的に押し広げて取付具１を屋外側から胴縁３のリップ片３ａ間の隙間に通して胴縁３の内部に挿入することができ、つまり、取付具１は胴縁３の長さ方向の任意位置で胴縁３内に挿入して胴縁３に装着することができ、したがって、外装パネル４の配置毎に外装パネル４に対応する取付具１をその場で胴縁３に装着できることから、一枚の外装パネル４の配置毎に施工作業者が胴縁３の長さ方向の端部に移動して取付具１を胴縁３に挿入するといった従来の煩雑な施工作業を無くすることができ、外装パネル４の配設施工における施工性を向上できるのであり、また、取付具１を胴縁３に装着した際には、先端爪部７を胴縁３の幅端部に幅方向外方から引っ掛けて引掛片６を胴縁３のリップ片３ａに屋外側から添設すると共に係止突起５を胴縁３のリップ片３ａに屋内側から係止させているので、つまり、先端爪部７で胴縁３のリップ片３ａの幅方向外方への広がりを抑制しつつ引掛片６と係止突起５とで胴縁３のリップ片３ａを屋内外から挟持していることから、胴縁３に剛性補強を施しながら取付具１を胴縁３に装着することができるのであり、したがって、外装パネル４の配設強度を向上できるのである。
【発明の効果】
【０００８】
本発明は、取付具を胴縁に装着する際には取付具の係止突起で胴縁のリップ片を弾性的に押し広げて取付具を屋外側から胴縁のリップ片間の隙間に通して胴縁の内部に挿入することができ、つまり、胴縁の長さ方向の任意位置で取付具を胴縁に装着させることができ、したがって、外装パネルの配置毎に外装パネルに対応する取付具をその場で胴縁に装着できることから、外装パネルの配設施工における施工性を向上できるといった効果を有しており、また、取付具を胴縁に装着した際には、先端爪部を胴縁の幅端部に幅方向外方から引っ掛けつつ引掛片と係止突起とで胴縁のリップ片を屋内外側から挟持しているので、胴縁に剛性補強を施しながら取付具を胴縁に装着することができ、外装パネルの配設強度を向上できるといった効果を有している。
【発明を実施するための最良の形態】
【０００９】
図１〜８には本発明の実施の形態の例を示す。図４のように、建物外壁は、外壁下地２の屋外側に沿わせて上下に亙る胴縁３を固定し、この胴縁３の屋外側に外装パネル４を上下に順に積み重ねるように沿わせて配設し、この外装パネル４を胴縁３に取付ることで形成されている。本例では、胴縁３に金属製型枠材を用いており、外装パネル４の胴縁３への取付けには外装パネル４を固定すると共に胴縁３に装着する取付具１を用いている。
【００１０】
ここで、胴縁３は、図１のように、外壁下地２の屋外側の面に沿わせて図示しないねじ具などで固定する底片３ｃの両幅端部から屋外側に側片３ｂがそれぞれ突設し、各側片３ｂの突出先端からそれぞれリップ片３ａが各側片３ｂの対向方向に向けて突設し、一対のリップ片３ａ間の隙間が屋外側に開口してなる断面リップ付コ字状の金属製の長尺型枠材によって構成されている。なお、本例の胴縁３では各リップ片３ａの突出先端から屋内側にそれぞれフランジ片３ｄが突設されており、このフランジ片３ｄによって後述するリップ片３ａを押し広げる係止突起５の押圧を受け易くするようにされている。
【００１１】
また、外装パネル４は、図３のように、内部の断熱材４ａを金属板層４ｂで被覆してなる金属サイディングが用いられている。この外装パネル４の上端部には突起状の雄実１３が上方に突設され、外装パネル４の上端部の裏面側には薄板突片状の被取付片１５が上方に突設されている。また、外装パネル４の下端部には下方の外装パネル４の雄実１３が実結合される凹溝状の雌実１４が凹設され、外装パネル４の下端部の裏面側には下方の外装パネル４の被取付片１５を収める切欠１６が形成されている。
【００１２】
また、取付具１は、図５，６のように、胴縁３のフランジ片３ｄ間の隙間幅と略同幅寸法を有する縦板１ａの幅方向両端から屋内側に側板１ｂがそれぞれ突設されてなる断面コ字状の金属製のピース型枠材によって主体が構成されたものであり、縦板１ａの幅方向中央部には屋外側に突出した縦断面Ｌ字状の取付片９が設けられ、縦板１ａの両幅端部には幅方向外方に引掛片６が突設され、この引掛片６の突出先端には側板１ｂと略平行に対向するように引掛片６を屋内側に屈曲させた先端爪部７が形成されており、各側板１ｂの縦板１ａ近傍部分には幅方向外方に向けて係止突起５がそれぞれ突設されている。
【００１３】
詳しくは、係止突起５を含めた取付具１の幅寸法は、胴縁３のリップ片３ａ間の隙間（本例ではフランジ片３ｄ間の隙間）幅より大きく且つ胴縁３の対向する側片３ｂ間の寸法よりは小さく形成されている。また、側板１ｂの屋内側端部と係止突起５の屋外側端部との距離寸法は、胴縁３のリップ片３ａの屋内側の面（本例ではフランジ片３ｄの屋内側端部）と底片３ｃとの距離寸法と略同寸法に形成されている。また、側板１ｂの屋内側端部と引掛片６の屋内側の面との距離寸法は、胴縁３のリップ片３ａの屋外側の面と底片３ｃとの距離寸法と略同寸法に形成されている。また、一対の先端爪部７の対向面間の距離寸法は、胴縁３の幅寸法と略同寸法に形成されている。
【００１４】
ここで、取付片９は縦板１ａの切起しにて形成されており、詳しくは縦板１ａから屋外側に垂直に突出した突出部９ａとこの突出部９ａの突出先端から略９０°折れて縦板１ａと略平行になった延出部９ｂとを有しており、延出部９ｂには外装パネル４を固定させる固着具１１を挿通させる貫通孔１０が穿孔されている。また、係止突起５には、取付具１を胴縁３のリップ片３ａ間の隙間から胴縁３の内部に挿入する際にリップ片３ａ（本例ではフランジ片３ｄ）を徐々に弾性的に押し広げるガイド面５ａと、取付具１を胴縁３内に挿入した際にリップ片３ａ（本例ではフランジ片３ｄ）に屋内側から係止させる係止面５ｂとが、屋内側から順に連設されている。詳しくは、ガイド面５ａは屋外側にいく程幅方向外方に位置するような傾斜面で構成されており、係止面５ｂはガイド面５ａの最外端から側板１ｂに至るような屋内外方向に略垂直に面する平坦面で構成されている。更に言うと、本例の係止突起５は平面視で円弧状に形成され、つまり係止面５ｂは外縁円弧状に形成されると共にガイド面５ａは幅方向外方に突出する円弧面状の傾斜面に形成されている。また、係止突起５及び引掛片６は側板１ｂの複数箇所に設けられているが、これら係止突起５及び引掛片６は平面視で重ならない互い違いの位置に設けられている。また、先端爪部７の引掛片６からの突出先端には幅方向外方に折り曲げて形成されたガイド部８が形成されており、このガイド部８により先端爪部７に胴縁３の側片３ｂを引っ掛け易くさせている。
【００１５】
取付具１を胴縁３に装着するには、図７のように、取付具１を胴縁３のリップ片３ａ間の隙間に屋外側から挿入し、胴縁３の内部に取付具１を収納させることで行われる。詳しくは、胴縁３のリップ片３ａ間の隙間から取付具１を挿入する際には、取付具１の両側板１ｂを胴縁３の底片３ｃに向けて突くようにして行うのであるが、このとき、取付具１の幅寸法は係止突起５が側板１ｂから突出する分だけ胴縁３のリップ片３ａ間の隙間幅よりも広くされているので、係止突起５が胴縁３のリップ片３ａに引っ掛かるものである。しかしながら、図８のように、取付具１を胴縁３の底片３ｃに向けてそのまま押し込むことで、係止突起５のガイド面５ａが胴縁３のフランジ片３ｄに当接してリップ片３ａを徐々に弾性的に押し広げることができるのであり、リップ片３ａ間の隙間に取付具１を通過させ、胴縁３の内部に取付具１が挿入可能にされているのである。
【００１６】
取付具１を胴縁３に装着した状態では、図１〜３のように、先端爪部７を胴縁３の幅端部に幅方向外方から引っ掛けて引掛片６を胴縁３のリップ片３ａに屋外側から添設すると共に、係止突起５を胴縁３のリップ片３ａに屋内側から係止させるといった構造で行われ、取付具１を胴縁３の長さ方向にスライド自在な状態にされている。詳しくは、取付具１は引掛片６と係止突起５とで胴縁３のリップ片３ａを屋内外から挟持するといった強固な構造によって胴縁３に装着されているのであり、また胴縁３に装着した取付具１の先端爪部７によっては、胴縁３の両幅端部から幅方向内方に挟み込んで胴縁３のリップ片３ａの幅方向外方への広がりを抑制することができ、つまり胴縁３に剛性補強を施しているのである。上述のように取付具１は胴縁３のリップ片３ａ間の隙間から胴縁３の内部に挿入して装着できるのであり、そして上記隙間は胴縁３の長さ方向に亙って形成されているから、取付具１は胴縁３の長さ方向の任意位置で胴縁３に装着可能になっているのである。
【００１７】
なお、建物外壁を形成する外装パネル４の配設施工は、胴縁３の長さ方向である上下方向の下方から順に外装パネル４を取付具１を介して胴縁３に取り付けながら立設配置させるといった施工作業で行われる。詳しくは、上述したように取付具１は胴縁３の長さ方向の任意位置で胴縁３に装着可能であるから、胴縁３の屋外側に沿わせて外装パネル４を配置した毎にこの外装パネル４の配置位置で胴縁３に取付具１を装着し、取付具１を介して外装パネル４を胴縁３に取付けていくのである。なお、上下に隣接する外装パネル４の間では、下方の外装パネル４の雄実１３を上方の外装パネル４の雌実１４に嵌合させる実結合が行われて上下に隣接する外装パネル４が面一に接続されると共に、下方の外装パネル４の被取付片１５が上方の外装パネル４の切欠１６に収納される。この被取付片１５は胴縁３の屋外側に沿って配置されるのであり、この被取付片１５を胴縁３に装着した取付具１に固定することで外装パネル４の胴縁３への取付けが行われるのである。詳しくは、胴縁３に装着した取付具１にあっては、胴縁３のリップ片３ａ間の隙間から取付片９を屋外側に突出した状態で、詳しくは突出部９ａが縦板１ａから屋外方向に突出すると共に延出部９ｂが突出部９ａから下方に突出するようにした状態で、胴縁３の長さ方向（上下方向）にスライド自在にされている。そして、胴縁３に装着した取付具１を胴縁３に沿って下方にスライドさせて取付片９を外装パネル４の被取付片１５に近接し、取付片９の延出部９ｂと縦板１ａとの間に被取付片１５を挿入すると共に取付片９の突出部９ａを被取付片１５に載せるようにして取付片９を被取付片１５にその上側から被せるように係止し、係止した状態で重合する延出部９ｂと被取付片１５とを屋外側から打設したタッピングビス等の固着具１１にて固着することで、外装パネル４の取付具１への固定が行われるのである。
【００１８】
上述のように本例の外装パネル４の胴縁３への取付構造にあっては、取付具１が屋外側から胴縁３の長さ方向の任意位置で胴縁３に装着可能にされているので、外装パネル４の配設施工において外装パネル４の配置毎にその場で取付具１を胴縁３に装着できるのである。これにより外装パネル４の配置毎に施工作業者が胴縁３の長さ方向の端部に移動して取付具１を胴縁３に挿入するといった従来の煩雑な施工作業を無くすることができ、外装パネル４の配設施工における施工性の向上が図られているのである。また、取付具１の両側方に突設した係止突起５に、取付具１を対向するフランジ片３ｄ間の隙間から胴縁３の内部に挿入していく際にフランジ片３ｄを徐々に弾性的に押し広げるガイド面５ａと、取付具１を胴縁３内に挿入した際に胴縁３のフランジ片３ｄに屋内側から係止させる係止面５ｂとを形成しているので、取付具１を胴縁３に装着するには胴縁３の屋外側に開口するリップ片３ａ間の隙間から取付具１を胴縁３の内部に押し込めばワンタッチ動作で取付具１が胴縁３に装着されるのであり、取付具１の胴縁３への装着作業にあっても作業性の向上が図られているのである。
【００１９】
また、取付具１を胴縁３に装着した際には、先端爪部７を胴縁３の幅端部に幅方向外方から引っ掛けて引掛片６を胴縁３のリップ片３ａに屋外側から添設すると共に係止突起５を胴縁３のリップ片３ａに屋内側から係止させているので、つまり先端爪部７で胴縁３のリップ片３ａの幅方向外方への広がりを抑制しつつ引掛片６と係止突起５とで胴縁３のリップ片３ａを屋内外から挟持することができて、胴縁３に剛性補強を施しながら取付具１を胴縁３に装着することができるのである。したがって、取付具１の胴縁３からの抜け外れが有効に防止できて外装パネル４の配設強度の向上が図られているのである。殊に、この胴縁３に剛性補強を施しながら取付具１を胴縁３に装着したことによる外装パネル４の配設強度の向上という効果にあっては、胴縁３の長さ方向に順々に配設される外装パネル４の枚数が多くて一の胴縁３に外装パネル４の枚数に応じた多数の取付具１が装着される場合にも、有用である。つまり、この場合では、一の胴縁３に外装パネル４の枚数に応じた多数の取付具１が装着されることから、この取付具１の装着数に応じて胴縁３の両リップ片３ａの押し広げの回数も頻繁に行われるのであり、この頻繁な押し広げによって胴縁３に変形が生じてしまうことも考えられる。しかしながら、本例では上述のように胴縁３に剛性補強を施しながら取付具１を胴縁３に装着しているので、つまり取付具１は胴縁３の変形を抑制しつつ装着されるのであり、仕上り良い外装パネル４の配設を確保することができるのである。
【００２０】
また、外装パネル４の取付具１への固定にあっては、胴縁３にスライドさせた取付具１の取付片９を外装パネル４の被取付片１５に係止させ、係止状態にある取付片９と被取付片１５とを固着具１１にて固着することで行われており、つまり、外装パネル４毎に異なる取付具１の胴縁３への装着位置への取付具１の位置決め作業は外装パネル４の被取付片１５に取付具１の取付片９を引っ掛け係止させることで行わせることができるので、外装パネル４の配設施工における施工性の向上が図られているのである。更に言うと、固着具１１の打入を行わずに外装パネル４の被取付片１５に取付具１の取付片９を引っ掛け係止させている状態では、外装パネル４は胴縁３に仮固定された状態になっており、しかして、外装パネル４を仮固定状態にした上で施工作業を一旦中断したり、他の作業を行ったりすることができ、この点でも外装パネル４の配設施工における施工性の向上が図られているのである。
【００２１】
ところで、本例の外装パネル４の胴縁３への取付構造にあっては、たとえば窯業系サイディングの外装パネル４の配設においても適用できるのは言うまでもないが、本例のように外装パネル４に金属サイディングを用いた場合に特に好適な構造とされている。つまり、金属サイディングは耐候性に優れる反面、比較的温度による膨縮が起こり易いという性質を有しており、金属サイディングを胴縁３に完全に固定してしまうと、金属サイディングの膨縮によって、図９のように、金属サイディングの胴縁３への固定部分（図９の固着具１２等）に過度の負荷がかかって破損したり、金属サイディングが過度の撓み変形をしてしまう恐れがあるが、本例では外装パネル４は取付具１に固定してあり、この取付具１は係止突起５の胴縁３への係止によって胴縁３にその長さ方向にスライド自在に装着されているから、金属サイディングで構成した外装パネル４に膨縮が生じても外装パネル４の膨縮は取付具１の胴縁３へのスライドによって吸収できるのであり、外装パネル４の胴縁３への取付部位の破損や外装パネル４の過度の撓み変形といった不具合を生じさせないようにされているのである。
【００２２】
なお、上記の本例では胴縁３を外壁下地２の上下に亙るように配設して上下端に実構造を備えた外装パネル４を上下に連設させることで建物外壁を形成した場合について説明したが、胴縁３を外壁下地２の水平方向に亙るように配設し、左右端に実構造を備えた外装パネル４を左右に連設させて建物外壁を形成する場合にも、本例の外装パネル４の胴縁３への取付構造を適用できるのは言うまでもない。また、上記の本例ではリップ片３ａの突出先端にフランジ片３ｄを形成した胴縁３を例示したが、フランジ片３ｄが無い胴縁３にあっても係止突起５と引掛片６とでリップ片３ａを屋内外から挟持する態様で本例の外装パネル４の胴縁３への取付構造を適用できるのは言うまでもない。更に言うと、図示はしないが、取付具１を、外装パネル４を固定する取付片９を備えると共に係止突起５を備えて胴縁３の長さ方向の任意位置に装着する部材と、先端爪部７を有した引掛片６を備えると共に係止突起５を備えて胴縁３に剛性補強を施しつつ胴縁３の長さ方向の任意位置で装着する部材との２部材で構成することも好ましい。これによっても、本例同様の作用効果を得ることができるものである。
【図面の簡単な説明】
【００２３】
【図１】本発明の実施の形態の例の水平断面図である。
【図２】同上の一部を透視した斜視図である。
【図３】同上の縦断面図である。
【図４】同上の建物外壁の全体斜視図である。
【図５】同上の取付具の斜視図である。
【図６】同上の取付具であり、（ａ）は上面図であり、（ｂ）は（ａ）の下面図であり、（ｃ）は（ａ）の右側面図である。
【図７】同上の取付具の胴縁への装着を説明する斜視図である。
【図８】同上の取付具の胴縁への装着を説明する水平断面図である。
【図９】金属サイディングの問題を説明する縦断面図である。
【図１０】背景技術の例を説明する水平断面図である。
【図１１】同上の取付具の斜視図である。
【符号の説明】
【００２４】
１  取付具
２  外壁下地
３  胴縁
３ａ  リップ片
４  外装パネル
５  係止突起
５ａ  ガイド面
５ｂ  係止面
６  引掛片
７  先端爪部
８  ガイド部
９  取付片
【図１】
2005307662.tif 000003
【図２】
2005307662.tif 000004
【図３】
2005307662.tif 000005
【図４】
2005307662.tif 000006
【図５】
2005307662.tif 000007
【図６】
2005307662.tif 000008
【図７】
2005307662.tif 000009
【図８】
2005307662.tif 000010
【図９】
2005307662.tif 000011
【図１０】
2005307662.tif 000012
【図１１】
2005307662.tif 000013